(57)【要約】【課題】電線路に設置された機器の管理をリアルタイムで行うことができる機器管理システムおよび機器管理方法を提供する。【解決手段】機器管理システム１は、零相変流器８および零相変成器９に接続された地絡方向継電器４ａと零相変成器９に接続された地絡過電圧継電器４ｂとを備えた地絡保護継電器４と、地絡保護継電器４のトリップ信号ＳDG（地絡表示）に基づいて配電線３を遮断する遮断器５と、零相変成器９に接続された地絡過電圧検出器６と、遮断器５のパレット接点の状態を表わすパレット接点信号ＳP、地絡過電圧継電器４ｂの動作時間を表わすＯＶＧ動作信号ＳOVG、地絡保護継電器４のトリップ信号ＳDGおよび母線２の零相電圧値が所定の値以上になったことを地絡過電圧検出器６が示す地絡過電圧検出器出力信号ＳV1に基づいて地絡保護継電器４および遮断器５の良否を判定する機器管理装置２４とを備える。【選択図】図１
2008263744.tif 000002
【特許請求の範囲】
【請求項１】
母線（２）から分岐された電線路（３）に設けられた零相変流器（８）および該母線に設けられた零相変成器（９）に接続された地絡方向継電器（４ａ）と該零相変成器に接続された地絡過電圧継電器（４ｂ）とを備えた地絡保護継電器（４）と、
該地絡保護継電器から出力されるトリップ信号（ＳDG）に基づいて前記電線路を遮断する遮断器（５）と、
前記零相変成器に接続された地絡過電圧検出器（６）と、
前記遮断器のパレット接点の状態を表わすパレット接点信号（ＳP）、前記地絡過電圧継電器の動作時間を表わすＯＶＧ動作信号（ＳOVG）、前記地絡保護継電器の前記トリップ信号および前記母線の零相電圧値が所定の値以上になったことを前記地絡過電圧検出器が示す地絡過電圧検出器出力信号（ＳV1）に基づいて、前記地絡保護継電器および前記遮断器の良否を判定する機器管理手段（２１，２３，２４；２４’）と、
を具備することを特徴とする、機器管理システム。
【請求項２】
前記機器管理手段が、
所定の時間間隔で前記パレット接点信号、前記ＯＶＧ動作信号、前記トリップ信号および前記地絡過電圧検出器出力信号を取り込んで、該取り込んだパレット接点信号、ＯＶＧ動作信号、トリップ信号および地絡過電圧検出器出力信号の状変情報を保管する子局側遠方監視制御装置（２１）と、
該子局側遠方監視制御装置と通信回線（２２）を介して相互接続された親局側遠方監視制御装置（２３）であって、前記電線路において地絡事故が発生すると、該地絡事故の継続時間を含む時間範囲の前記パレット接点信号、前記ＯＶＧ動作信号、前記トリップ信号および前記地絡過電圧検出器出力信号の状変情報の送信を要求する要求信号を前記子局側遠方監視制御装置に前記通信回線を介して送信し、該子局側遠方監視制御装置から前記要求した時間範囲のパレット接点信号、ＯＶＧ動作信号、トリップ信号および地絡過電圧検出器出力信号の状変情報を受信する親局側遠方監視制御装置（２３）と、
該親局側遠方監視制御装置から入力される前記パレット接点信号、前記ＯＶＧ動作信号、前記トリップ信号および前記地絡過電圧検出器出力信号の状変情報に基づいて、前記地絡保護継電器および前記遮断器の良否を判定する機器管理装置（２４）と、
を備えることを特徴とする、請求項１記載の機器管理システム。
【請求項３】
前記機器管理装置（２４）が、
前記地絡過電圧検出器出力信号の状変情報によって表わされるＶ0発生時刻（ｔ１）、前記ＯＶＧ動作信号の状変情報によって表わされるＯＶＧ表示時刻（ｔ３）、前記トリップ信号の状変情報によって表わされる地絡表示時刻（ｔ４）、前記パレット接点信号の状変情報によって表わされるパレット切時刻（ｔ５）および前記ＯＶＧ動作信号の状変情報によって表わされるＯＶＧ復帰時刻（ｔ６）に基づいて、パレット事故継続時間（Ｔ1）、パレット遮断時間（Ｔ2）、事故継続時間（Ｔ3）、継電器指令時間（Ｔ4）、ＯＶＧ動作時間（Ｔ5）およびＶ0−ＯＶＧ差時間（Ｔ6）を算出し、
該算出したパレット事故継続時間、パレット遮断時間、事故継続時間、継電器指令時間、ＯＶＧ動作時間およびＶ0−ＯＶＧ差時間に基づいて、前記地絡保護継電器および前記遮断器の良否を判定する、
ことを特徴とする、請求項２記載の機器管理システム。
【請求項４】
前記機器管理装置（２４）が、
前記パレット切時刻（ｔ５）から前記Ｖ0発生時刻（ｔ１）を引くことにより、前記パレット事故継続時間（Ｔ1）を算出し、
前記パレット切時刻（ｔ５）から前記地絡表示時刻（ｔ４）を引くとともに前記地絡保護継電器の表示動作遅延時間（Ｄ３）を足すことにより、前記パレット遮断時間（Ｔ2）を算出し、
前記ＯＶＧ復帰時刻（ｔ６）から前記Ｖ0発生時刻（ｔ１）および前記地絡過電圧継電器の復帰遅延時間（Ｄ２）を引くことにより、前記事故継続時間（Ｔ3）を算出し、
前記地絡表示時刻（ｔ４）から前記Ｖ0発生時刻（ｔ１）および前記地絡保護継電器の表示動作遅延時間（Ｄ３）を引くことにより、前記継電器指令時間（Ｔ4）を算出し、
前記ＯＶＧ復帰時刻（ｔ６）から前記ＯＶＧ表示時刻（ｔ３）を引き前記地絡過電圧継電器の動作時限（Ｄ４）および前記地絡過電圧継電器の表示動作遅延時間（Ｄ１）を足すとともに前記地絡過電圧継電器の復帰遅延時間（Ｄ２）を引くことにより、前記ＯＶＧ動作時間（Ｔ5）を算出し、
前記ＯＶＧ復帰時刻（ｔ６）から前記Ｖ0発生時刻（ｔ１）、前記地絡過電圧継電器の復帰遅延時間（Ｄ２）および前記ＯＶＧ動作時間（Ｔ5）を引くことにより、前記Ｖ0−ＯＶＧ差時間（Ｔ6）を算出する、
ことを特徴とする、請求項３記載の機器管理システム。
【請求項５】
前記トリップ信号と前記パレット接点信号との時間差を検出する時間差検出回路（３１）と、該時間差検出回路の出力信号の時間軸を所定の倍数に伸張する伸張回路（３２）とを備える時間軸拡大装置（３０）が、前記子局側遠方監視制御装置に設けられており、
前記子局側遠方監視制御装置が、時間軸拡大装置出力信号の状変情報を保管し、
前記機器管理装置が、前記要求した時間範囲の前記時間軸拡大装置出力信号の状変情報に基づいて前記パレット切時刻（ｔ５）と前記地絡表示時刻（ｔ４）との拡大差時間を求め、該求めた拡大差時間から前記時間差検出回路によって検出された時間差を復元したのち、該復元した時間差に前記地絡保護継電器の表示動作遅延時間（Ｄ３）を足すことにより、前記パレット遮断時間（Ｔ2）を算出する、
ことを特徴とする、請求項４記載の機器管理システム。
【請求項６】
前記機器管理手段が、前記遮断器から入力される前記パレット接点信号、前記地絡過電圧継電器から入力される前記ＯＶＧ動作信号、前記地絡保護継電器から入力される前記トリップ信号および前記地絡過電圧検出器から入力される前記地絡過電圧検出器出力信号に基づいて、パレット事故継続時間（Ｔ1）、パレット遮断時間（Ｔ2）、事故継続時間（Ｔ3）、継電器指令時間（Ｔ4）、ＯＶＧ動作時間（Ｔ5）およびＶ0−ＯＶＧ差時間（Ｔ6）を算出し、該算出したパレット事故継続時間、パレット遮断時間、事故継続時間、継電器指令時間、ＯＶＧ動作時間およびＶ0−ＯＶＧ差時間に基づいて前記地絡保護継電器および前記遮断器の良否を判定する機器管理装置（２４’）を備えることを特徴とする、請求項１記載の機器管理システム。
【請求項７】
前記機器管理装置（２４’）が、
前記地絡過電圧検出器出力信号からＶ0発生時刻（ｔ１）を求め、前記ＯＶＧ動作信号からＯＶＧ表示時刻（ｔ３）を求め、前記トリップ信号から地絡表示時刻（ｔ４）を求め、前記パレット接点信号からパレット切時刻（ｔ５）を求め、前記ＯＶＧ動作信号からＯＶＧ復帰時刻（ｔ６）を求め、
前記パレット切時刻（ｔ５）から前記Ｖ0発生時刻（ｔ１）を引くことにより、前記パレット事故継続時間（Ｔ1）を算出し、
前記パレット切時刻（ｔ５）から前記地絡表示時刻（ｔ４）を引くとともに前記地絡保護継電器の表示動作遅延時間（Ｄ３）を足すことにより、前記パレット遮断時間（Ｔ2）を算出し、
前記ＯＶＧ復帰時刻（ｔ６）から前記Ｖ0発生時刻（ｔ１）および前記地絡過電圧継電器の復帰遅延時間（Ｄ２）を引くことにより、前記事故継続時間（Ｔ3）を算出し、
前記地絡表示時刻（ｔ４）から前記Ｖ0発生時刻（ｔ１）および前記地絡保護継電器の表示動作遅延時間（Ｄ３）を引くことにより、前記継電器指令時間（Ｔ4）を算出し、
前記ＯＶＧ復帰時刻（ｔ６）から前記ＯＶＧ表示時刻（ｔ３）を引き前記地絡過電圧継電器の動作時限（Ｄ４）および前記地絡過電圧継電器の表示動作遅延時間（Ｄ１）を足すとともに前記地絡過電圧継電器の復帰遅延時間（Ｄ２）を引くことにより、前記ＯＶＧ動作時間（Ｔ5）を算出し、
前記ＯＶＧ復帰時刻（ｔ６）から前記Ｖ0発生時刻（ｔ１）、前記地絡過電圧継電器の復帰遅延時間（Ｄ２）および前記ＯＶＧ動作時間（Ｔ5）を引くことにより、前記Ｖ0−ＯＶＧ差時間（Ｔ6）を算出する、
ことを特徴とする、請求項６記載の機器管理システム。
【請求項８】
前記機器管理装置（２４，２４’）が、
前記パレット事故継続時間（Ｔ1）に基づいて全体の地絡事故時間を把握して、前記地絡保護継電器および前記遮断器の機構部が正常であるか否かを確認し、
前記パレット遮断時間（Ｔ2）に基づいて前記遮断器の機構部が正常であるか否かを確認し、
前記事故継続時間（Ｔ3）に基づいて地絡事故継続時間を確認することにより、実系統で事故が正常に遮断されたか否かを確認し、
前記継電器指令時間（Ｔ4）に基づいて前記地絡保護継電器のトリップ指令時間を確認することにより、該地絡保護継電器の指令時間が正常であるか否かを確認し、
前記ＯＶＧ動作時間（Ｔ5）に基づいて前記地絡過電圧継電器の継続時間を推定することにより、該地絡過電圧継電器が正常であるか否かを確認し、
前記Ｖ0−ＯＶＧ差時間（Ｔ6）に基づいて零相電圧の発生から前記地絡過電圧検出器および前記地絡過電圧継電器が動作するまでの差時間を把握することにより、前記地絡過電圧継電器の整定および動作が正常であるか否かを確認する、
ことを特徴とする、請求項３乃至７いずれかに記載の機器管理システム。
【請求項９】
母線（２）から分岐された電線路（３）に設けられた零相変流器（８）および該母線に設けられた零相変成器（９）に接続された地絡方向継電器（４ａ）と該零相変成器に接続された地絡過電圧継電器（４ｂ）とを備えた地絡保護継電器（４）と、該地絡保護継電器から出力されるトリップ信号（ＳDG）に基づいて前記電線路を遮断する遮断器（５）との良否を判定する機器管理方法であって、
機器管理手段（２１，２３，２４；２４’）が、前記母線の零相電圧値が所定の値以上になったことを前記零相変成器に接続された前記地絡過電圧検出器が示す地絡過電圧検出器出力信号（ＳV1）によって表わされるＶ0発生時刻（ｔ１）、前記地絡過電圧継電器の動作時間を表わすＯＶＧ動作信号（ＳOVG）によって表わされるＯＶＧ表示時刻（ｔ３）、前記地絡保護継電器の前記トリップ信号によって表わされる地絡表示時刻（ｔ４）、前記遮断器のパレット接点の状態を表わすパレット接点信号（ＳP）によって表わされるパレット切時刻（ｔ５）、および、前記ＯＶＧ動作信号によって表わされるＯＶＧ復帰時刻（ｔ６）に基づいて、パレット事故継続時間（Ｔ1）、パレット遮断時間（Ｔ2）、事故継続時間（Ｔ3）、継電器指令時間（Ｔ4）、ＯＶＧ動作時間（Ｔ5）およびＶ0−ＯＶＧ差時間（Ｔ6）を算出する第１のステップ（Ｓ１５）と、
前記機器管理手段が、前記算出したパレット事故継続時間、パレット遮断時間、事故継続時間、継電器指令時間、ＯＶＧ動作時間およびＶ0−ＯＶＧ差時間に基づいて、前記地絡保護継電器および前記遮断器の良否を判定する第２のステップ（Ｓ１６）と、
を具備することを特徴とする、機器管理方法。
【請求項１０】
前記第１のステップの前に、
子局側遠方監視制御装置（２１）が、所定の時間間隔で前記パレット接点信号、前記ＯＶＧ動作信号、前記トリップ信号および前記地絡過電圧検出器出力信号を取り込んで、該取り込んだパレット接点信号、ＯＶＧ動作信号、トリップ信号および地絡過電圧検出器出力信号の状変情報を保管する第３のステップと、
前記子局側遠方監視制御装置と通信回線（２２）を介して相互接続された親局側遠方監視制御装置（２３）が、前記電線路において地絡事故が発生すると、該地絡事故の継続時間を含む時間範囲の前記パレット接点信号、前記ＯＶＧ動作信号、前記トリップ信号および前記地絡過電圧検出器出力信号の状変情報の送信を要求する要求信号を前記子局側遠方監視制御装置に前記通信回線を介して送信し、該子局側遠方監視制御装置から前記要求した時間範囲のパレット接点信号、ＯＶＧ動作信号、トリップ信号および地絡過電圧検出器出力信号の状変情報を受信する第４のステップ（Ｓ１４）と、
をさらに具備し、
前記第１のステップにおいて、前記親局側遠方監視制御装置に接続された機器管理装置（２４）が、前記地絡過電圧検出器出力信号の状変情報によって表わされる前記Ｖ0発生時刻、前記ＯＶＧ動作信号の状変情報によって表わされる前記ＯＶＧ表示時刻、前記トリップ信号の状変情報によって表わされる前記地絡表示時刻、前記パレット接点信号の状変情報によって表わされる前記パレット切時刻および前記ＯＶＧ動作信号の状変情報によって表わされる前記ＯＶＧ復帰時刻に基づいて、前記パレット事故継続時間、前記パレット遮断時間、前記事故継続時間、前記継電器指令時間、前記ＯＶＧ動作時間および前記Ｖ0−ＯＶＧ差時間を算出し、
前記第２のステップにおいて、前記機器管理装置（２４）が、前記算出したパレット事故継続時間、パレット遮断時間、事故継続時間、継電器指令時間、ＯＶＧ動作時間およびＶ0−ＯＶＧ差時間に基づいて、前記地絡保護継電器および前記遮断器の良否を判定する、
ことを特徴とする、請求項９記載の機器管理方法。
【請求項１１】
前記トリップ信号と前記パレット接点信号との時間差を検出する時間差検出回路（３１）と、該時間差検出回路の出力信号の時間軸を所定の倍数に伸張する伸張回路（３２）とを備える時間軸拡大装置（３０）が、前記子局側遠方監視制御装置に設けられており、
前記第３のステップにおいて、前記子局側遠方監視制御装置が、時間軸拡大装置出力信号の状変情報を保管し、
前記第１のステップにおいて、前記機器管理装置（２４）が、前記要求した時間範囲の前記時間軸拡大装置出力信号の状変情報に基づいて前記パレット切時刻（ｔ５）と前記地絡表示時刻（ｔ４）との拡大差時間を求め、該求めた拡大差時間から前記時間差検出回路によって検出された時間差を復元したのち、該復元した時間差に前記地絡保護継電器の表示動作遅延時間（Ｄ３）を足すことにより、前記パレット遮断時間（Ｔ2）を算出する、
ことを特徴とする、請求項１０記載の機器管理方法。
【請求項１２】
前記第１のステップにおいて、前記地絡保護継電器、前記遮断器および前記地絡過電圧検出器に接続された機器管理装置（２４’）が、前記地絡過電圧検出器出力信号からＶ0発生時刻（ｔ１）を求め、前記ＯＶＧ動作信号からＯＶＧ表示時刻（ｔ３）を求め、前記トリップ信号から地絡表示時刻（ｔ４）を求め、前記パレット接点信号からパレット切時刻（ｔ５）を求め、前記ＯＶＧ動作信号からＯＶＧ復帰時刻（ｔ６）を求め、該求めたＶ0発生時刻、ＯＶＧ表示時刻、地絡表示時刻、パレット切時刻およびＯＶＧ復帰時刻に基づいて前記パレット事故継続時間、前記パレット遮断時間、前記事故継続時間、前記継電器指令時間、前記ＯＶＧ動作時間および前記Ｖ0−ＯＶＧ差時間を算出し、
前記第２のステップにおいて、前記機器管理装置（２４’）が、前記算出したパレット事故継続時間、パレット遮断時間、事故継続時間、継電器指令時間、ＯＶＧ動作時間およびＶ0−ＯＶＧ差時間に基づいて、前記地絡保護継電器および前記遮断器の良否を判定する、
ことを特徴とする、請求項９記載の機器管理方法。
【発明の詳細な説明】
【技術分野】
【０００１】
本発明は、機器管理システムおよび機器管理方法に関し、特に、配電線などの電線路に設置された地絡保護継電器や遮断器などをリアルタイムで管理するのに好適な機器管理システムおよび機器管理方法に関する。
【背景技術】
【０００２】
一般に、電力系統に用いられている保護継電器および遮断器などの機器の管理は、給電オシロ装置によって記録された電圧・電流波形データや、停電点検による点検データに基づいて機器の異常の有無を検査することにより行われている。
【０００３】
なお、本出願人は、下記の特許文献１において、発変電所機器の状態を自動監視するために、遠方操作機器については、たとえば、変電所に設置された遮断器を切るための切指令信号を遠制装置から遮断器に入力し、切指令信号に対する遮断器の応動時間を測定するための補助スイッチの出力信号を遮断器から遠制装置に入力し、遠制装置が補助スイッチの出力信号に応じて遮断器の状態を判定し、また、現地自動操作機器については、たとえば、変電所に設置されたタップ切換器が動作していることを示すタップ切換モータ用の駆動信号をタップ切換器から遠制装置に入力し、遠制装置がこの駆動信号に応じてタップ切換器の状態を判定するようにした、変電所機器の遠方監視方法およびシステムを提案している。
【０００４】
また、下記の特許文献２には、必要な状変情報のみをＳＯＥ情報として取り出すことができ、ＳＯＥ情報分析の効率向上を図るために、電力系統の制御所と被制御所との間で情報を送受信し、被制御所の電力設備を監視制御する遠方監視制御装置の被制御所は、制御所からの制御信号が電力設備の操作指令であるときはその電力設備を操作する制御信号出力手段と、制御信号出力手段により電気設備が操作されたときはその旨を操作応動状変として記憶するための応動監視ファイルと、電力設備の状変が応動監視ファイルに記憶された操作応動状変でないときはその状変のＳＯＥ情報を作成するＳＯＥ情報作成手段と、ＳＯＥ情報作成手段で作成されたＳＯＥ情報を記憶するＳＯＥ原始ファイルとを備えた遠方監視制御装置が開示されている。
【特許文献１】特開２００５−１６８１２１号公報
【特許文献２】特開平８−２２３８２６号公報
【発明の開示】
【発明が解決しようとする課題】
【０００５】
しかしながら、給電オシロ装置の電圧・電流波形データに基づく機器管理では、給電オシロ装置は高価であるため電力系統の主要線路にしか設置されておらず配電線などの電線路には設置されていないのが現状であるため、電線路に設置された機器の管理を行うことができないという問題がある。
また、停電点検時の点検データに基づく機器管理では、常時の動作管理がなされていないため、リアルタイムの機器管理を行うことができないという問題がある。
【０００６】
本発明の目的は、電線路に設置された機器の管理をリアルタイムで行うことができる機器管理システムおよび機器管理方法を提供することにある。
【課題を解決するための手段】
【０００７】
本発明の機器管理システムは、母線（２）から分岐された電線路（３）に設けられた零相変流器（８）および該母線に設けられた零相変成器（９）に接続された地絡方向継電器（４ａ）と該零相変成器に接続された地絡過電圧継電器（４ｂ）とを備えた地絡保護継電器（４）と、該地絡保護継電器から出力されるトリップ信号（ＳDG）に基づいて前記電線路を遮断する遮断器（５）と、前記零相変成器に接続された地絡過電圧検出器（６）と、前記遮断器のパレット接点の状態を表わすパレット接点信号（ＳP）、前記地絡過電圧継電器の動作時間を表わすＯＶＧ動作信号（ＳOVG）、前記地絡保護継電器の前記トリップ信号および前記母線の零相電圧値が所定の値以上になったことを前記地絡過電圧検出器が示す地絡過電圧検出器出力信号（ＳV1）に基づいて、前記地絡保護継電器および前記遮断器の良否を判定する機器管理手段（２１，２３，２４；２４’）とを具備することを特徴とする。
ここで、前記機器管理手段が、所定の時間間隔で前記パレット接点信号、前記ＯＶＧ動作信号、前記トリップ信号および前記地絡過電圧検出器出力信号を取り込んで、該取り込んだパレット接点信号、ＯＶＧ動作信号、トリップ信号および地絡過電圧検出器出力信号の状変情報を保管する子局側遠方監視制御装置（２１）と、該子局側遠方監視制御装置と通信回線（２２）を介して相互接続された親局側遠方監視制御装置（２３）であって、前記電線路において地絡事故が発生すると、該地絡事故の継続時間を含む時間範囲の前記パレット接点信号、前記ＯＶＧ動作信号、前記トリップ信号および前記地絡過電圧検出器出力信号の状変情報の送信を要求する要求信号を前記子局側遠方監視制御装置に前記通信回線を介して送信し、該子局側遠方監視制御装置から前記要求した時間範囲のパレット接点信号、ＯＶＧ動作信号、トリップ信号および地絡過電圧検出器出力信号の状変情報を受信する親局側遠方監視制御装置（２３）と、該親局側遠方監視制御装置から入力される前記パレット接点信号、前記ＯＶＧ動作信号、前記トリップ信号および前記地絡過電圧検出器出力信号の状変情報に基づいて、前記地絡保護継電器および前記遮断器の良否を判定する機器管理装置（２４）とを備えてもよい。
前記機器管理装置（２４）が、前記地絡過電圧検出器出力信号の状変情報によって表わされるＶ0発生時刻（ｔ１）、前記ＯＶＧ動作信号の状変情報によって表わされるＯＶＧ表示時刻（ｔ３）、前記トリップ信号の状変情報によって表わされる地絡表示時刻（ｔ４）、前記パレット接点信号の状変情報によって表わされるパレット切時刻（ｔ５）および前記ＯＶＧ動作信号の状変情報によって表わされるＯＶＧ復帰時刻（ｔ６）に基づいて、パレット事故継続時間（Ｔ1）、パレット遮断時間（Ｔ2）、事故継続時間（Ｔ3）、継電器指令時間（Ｔ4）、ＯＶＧ動作時間（Ｔ5）およびＶ0−ＯＶＧ差時間（Ｔ6）を算出し、該算出したパレット事故継続時間、パレット遮断時間、事故継続時間、継電器指令時間、ＯＶＧ動作時間およびＶ0−ＯＶＧ差時間に基づいて、前記地絡保護継電器および前記遮断器の良否を判定してもよい。
前記機器管理装置（２４）が、前記パレット切時刻（ｔ５）から前記Ｖ0発生時刻（ｔ１）を引くことにより、前記パレット事故継続時間（Ｔ1）を算出し、前記パレット切時刻（ｔ５）から前記地絡表示時刻（ｔ４）を引くとともに前記地絡保護継電器の表示動作遅延時間（Ｄ３）を足すことにより、前記パレット遮断時間（Ｔ2）を算出し、前記ＯＶＧ復帰時刻（ｔ６）から前記Ｖ0発生時刻（ｔ１）および前記地絡過電圧継電器の復帰遅延時間（Ｄ２）を引くことにより、前記事故継続時間（Ｔ3）を算出し、前記地絡表示時刻（ｔ４）から前記Ｖ0発生時刻（ｔ１）および前記地絡保護継電器の表示動作遅延時間（Ｄ３）を引くことにより、前記継電器指令時間（Ｔ4）を算出し、前記ＯＶＧ復帰時刻（ｔ６）から前記ＯＶＧ表示時刻（ｔ３）を引き前記地絡過電圧継電器の動作時限（Ｄ４）および前記地絡過電圧継電器の表示動作遅延時間（Ｄ１）を足すとともに前記地絡過電圧継電器の復帰遅延時間（Ｄ２）を引くことにより、前記ＯＶＧ動作時間（Ｔ5）を算出し、前記ＯＶＧ復帰時刻（ｔ６）から前記Ｖ0発生時刻（ｔ１）、前記地絡過電圧継電器の復帰遅延時間（Ｄ２）および前記ＯＶＧ動作時間（Ｔ5）を引くことにより、前記Ｖ0−ＯＶＧ差時間（Ｔ6）を算出してもよい。
前記トリップ信号と前記パレット接点信号との時間差を検出する時間差検出回路（３１）と、該時間差検出回路の出力信号の時間軸を所定の倍数に伸張する伸張回路（３２）とを備える時間軸拡大装置（３０）が、前記子局側遠方監視制御装置に設けられており、前記子局側遠方監視制御装置が、時間軸拡大装置出力信号の状変情報を保管し、前記機器管理装置が、前記要求した時間範囲の前記時間軸拡大装置出力信号の状変情報に基づいて前記パレット切時刻（ｔ５）と前記地絡表示時刻（ｔ４）との拡大差時間を求め、該求めた拡大差時間から前記時間差検出回路によって検出された時間差を復元したのち、該復元した時間差に前記地絡保護継電器の表示動作遅延時間（Ｄ３）を足すことにより、前記パレット遮断時間（Ｔ2）を算出してもよい。
前記機器管理手段が、前記遮断器から入力される前記パレット接点信号、前記地絡過電圧継電器から入力される前記ＯＶＧ動作信号、前記地絡保護継電器から入力される前記トリップ信号および前記地絡過電圧検出器から入力される前記地絡過電圧検出器出力信号に基づいて、パレット事故継続時間（Ｔ1）、パレット遮断時間（Ｔ2）、事故継続時間（Ｔ3）、継電器指令時間（Ｔ4）、ＯＶＧ動作時間（Ｔ5）およびＶ0−ＯＶＧ差時間（Ｔ6）を算出し、該算出したパレット事故継続時間、パレット遮断時間、事故継続時間、継電器指令時間、ＯＶＧ動作時間およびＶ0−ＯＶＧ差時間に基づいて前記地絡保護継電器および前記遮断器の良否を判定する機器管理装置（２４’）を備えてもよい。
前記機器管理装置（２４’）が、前記地絡過電圧検出器出力信号からＶ0発生時刻（ｔ１）を求め、前記ＯＶＧ動作信号からＯＶＧ表示時刻（ｔ３）を求め、前記トリップ信号から地絡表示時刻（ｔ４）を求め、前記パレット接点信号からパレット切時刻（ｔ５）を求め、前記ＯＶＧ動作信号からＯＶＧ復帰時刻（ｔ６）を求め、前記パレット切時刻（ｔ５）から前記Ｖ0発生時刻（ｔ１）を引くことにより、前記パレット事故継続時間（Ｔ1）を算出し、前記パレット切時刻（ｔ５）から前記地絡表示時刻（ｔ４）を引くとともに前記地絡保護継電器の表示動作遅延時間（Ｄ３）を足すことにより、前記パレット遮断時間（Ｔ2）を算出し、前記ＯＶＧ復帰時刻（ｔ６）から前記Ｖ0発生時刻（ｔ１）および前記地絡過電圧継電器の復帰遅延時間（Ｄ２）を引くことにより、前記事故継続時間（Ｔ3）を算出し、前記地絡表示時刻（ｔ４）から前記Ｖ0発生時刻（ｔ１）および前記地絡保護継電器の表示動作遅延時間（Ｄ３）を引くことにより、前記継電器指令時間（Ｔ4）を算出し、前記ＯＶＧ復帰時刻（ｔ６）から前記ＯＶＧ表示時刻（ｔ３）を引き前記地絡過電圧継電器の動作時限（Ｄ４）および前記地絡過電圧継電器の表示動作遅延時間（Ｄ１）を足すとともに前記地絡過電圧継電器の復帰遅延時間（Ｄ２）を引くことにより、前記ＯＶＧ動作時間（Ｔ5）を算出し、前記ＯＶＧ復帰時刻（ｔ６）から前記Ｖ0発生時刻（ｔ１）、前記地絡過電圧継電器の復帰遅延時間（Ｄ２）および前記ＯＶＧ動作時間（Ｔ5）を引くことにより、前記Ｖ0−ＯＶＧ差時間（Ｔ6）を算出してもよい。
前記機器管理装置（２４，２４’）が、前記パレット事故継続時間（Ｔ1）に基づいて全体の地絡事故時間を把握して、前記地絡保護継電器および前記遮断器の機構部が正常であるか否かを確認し、前記パレット遮断時間（Ｔ2）に基づいて前記遮断器の機構部が正常であるか否かを確認し、前記事故継続時間（Ｔ3）に基づいて地絡事故継続時間を確認することにより、実系統で事故が正常に遮断されたか否かを確認し、前記継電器指令時間（Ｔ4）に基づいて前記地絡保護継電器のトリップ指令時間を確認することにより、該地絡保護継電器の指令時間が正常であるか否かを確認し、前記ＯＶＧ動作時間（Ｔ5）に基づいて前記地絡過電圧継電器の継続時間を推定することにより、該地絡過電圧継電器が正常であるか否かを確認し、前記Ｖ0−ＯＶＧ差時間（Ｔ6）に基づいて零相電圧の発生から前記地絡過電圧検出器および前記地絡過電圧継電器が動作するまでの差時間を把握することにより、前記地絡過電圧継電器の整定および動作が正常であるか否かを確認してもよい。
【０００８】
本発明の機器管理方法は、母線（２）から分岐された電線路（３）に設けられた零相変流器（８）および該母線に設けられた零相変成器（９）に接続された地絡方向継電器（４ａ）と該零相変成器に接続された地絡過電圧継電器（４ｂ）とを備えた地絡保護継電器（４）と、該地絡保護継電器から出力されるトリップ信号（ＳDG）に基づいて前記電線路を遮断する遮断器（５）との良否を判定する機器管理方法であって、機器管理手段（２１，２３，２４；２４’）が、前記母線の零相電圧値が所定の値以上になったことを前記零相変成器に接続された前記地絡過電圧検出器が示す地絡過電圧検出器出力信号（ＳV1）によって表わされるＶ0発生時刻（ｔ１）、前記地絡過電圧継電器の動作時間を表わすＯＶＧ動作信号（ＳOVG）によって表わされるＯＶＧ表示時刻（ｔ３）、前記地絡保護継電器の前記トリップ信号によって表わされる地絡表示時刻（ｔ４）、前記遮断器のパレット接点の状態を表わすパレット接点信号（ＳP）によって表わされるパレット切時刻（ｔ５）、および、前記ＯＶＧ動作信号によって表わされるＯＶＧ復帰時刻（ｔ６）に基づいて、パレット事故継続時間（Ｔ1）、パレット遮断時間（Ｔ2）、事故継続時間（Ｔ3）、継電器指令時間（Ｔ4）、ＯＶＧ動作時間（Ｔ5）およびＶ0−ＯＶＧ差時間（Ｔ6）を算出する第１のステップ（Ｓ１５）と、前記機器管理手段が、前記算出したパレット事故継続時間、パレット遮断時間、事故継続時間、継電器指令時間、ＯＶＧ動作時間およびＶ0−ＯＶＧ差時間に基づいて、前記地絡保護継電器および前記遮断器の良否を判定する第２のステップ（Ｓ１６）とを具備することを特徴とする。
ここで、前記第１のステップの前に、子局側遠方監視制御装置（２１）が、所定の時間間隔で前記パレット接点信号、前記ＯＶＧ動作信号、前記トリップ信号および前記地絡過電圧検出器出力信号を取り込んで、該取り込んだパレット接点信号、ＯＶＧ動作信号、トリップ信号および地絡過電圧検出器出力信号の状変情報を保管する第３のステップと、前記子局側遠方監視制御装置と通信回線（２２）を介して相互接続された親局側遠方監視制御装置（２３）が、前記電線路において地絡事故が発生すると、該地絡事故の継続時間を含む時間範囲の前記パレット接点信号、前記ＯＶＧ動作信号、前記トリップ信号および前記地絡過電圧検出器出力信号の状変情報の送信を要求する要求信号を前記子局側遠方監視制御装置に前記通信回線を介して送信し、該子局側遠方監視制御装置から前記要求した時間範囲のパレット接点信号、ＯＶＧ動作信号、トリップ信号および地絡過電圧検出器出力信号の状変情報を受信する第４のステップ（Ｓ１４）とをさらに具備し、前記第１のステップにおいて、前記親局側遠方監視制御装置に接続された機器管理装置（２４）が、前記地絡過電圧検出器出力信号の状変情報によって表わされる前記Ｖ0発生時刻、前記ＯＶＧ動作信号の状変情報によって表わされる前記ＯＶＧ表示時刻、前記トリップ信号の状変情報によって表わされる前記地絡表示時刻、前記パレット接点信号の状変情報によって表わされる前記パレット切時刻および前記ＯＶＧ動作信号の状変情報によって表わされる前記ＯＶＧ復帰時刻に基づいて、前記パレット事故継続時間、前記パレット遮断時間、前記事故継続時間、前記継電器指令時間、前記ＯＶＧ動作時間および前記Ｖ0−ＯＶＧ差時間を算出し、
前記第２のステップにおいて、前記機器管理装置（２４）が、前記算出したパレット事故継続時間、パレット遮断時間、事故継続時間、継電器指令時間、ＯＶＧ動作時間およびＶ0−ＯＶＧ差時間に基づいて、前記地絡保護継電器および前記遮断器の良否を判定してもよい。
前記トリップ信号と前記パレット接点信号との時間差を検出する時間差検出回路（３１）と、該時間差検出回路の出力信号の時間軸を所定の倍数に伸張する伸張回路（３２）とを備える時間軸拡大装置（３０）が、前記子局側遠方監視制御装置に設けられており、前記第３のステップにおいて、前記子局側遠方監視制御装置が、時間軸拡大装置出力信号の状変情報を保管し、前記第１のステップにおいて、前記機器管理装置（２４）が、前記要求した時間範囲の前記時間軸拡大装置出力信号の状変情報に基づいて前記パレット切時刻（ｔ５）と前記地絡表示時刻（ｔ４）との拡大差時間を求め、該求めた拡大差時間から前記時間差検出回路によって検出された時間差を復元したのち、該復元した時間差に前記地絡保護継電器の表示動作遅延時間（Ｄ３）を足すことにより、前記パレット遮断時間（Ｔ2）を算出してもよい。
前記第１のステップにおいて、前記地絡保護継電器、前記遮断器および前記地絡過電圧検出器に接続された機器管理装置（２４’）が、前記地絡過電圧検出器出力信号からＶ0発生時刻（ｔ１）を求め、前記ＯＶＧ動作信号からＯＶＧ表示時刻（ｔ３）を求め、前記トリップ信号から地絡表示時刻（ｔ４）を求め、前記パレット接点信号からパレット切時刻（ｔ５）を求め、前記ＯＶＧ動作信号からＯＶＧ復帰時刻（ｔ６）を求め、該求めたＶ0発生時刻、ＯＶＧ表示時刻、地絡表示時刻、パレット切時刻およびＯＶＧ復帰時刻に基づいて前記パレット事故継続時間、前記パレット遮断時間、前記事故継続時間、前記継電器指令時間、前記ＯＶＧ動作時間および前記Ｖ0−ＯＶＧ差時間を算出し、前記第２のステップにおいて、前記機器管理装置（２４’）が、前記算出したパレット事故継続時間、パレット遮断時間、事故継続時間、継電器指令時間、ＯＶＧ動作時間およびＶ0−ＯＶＧ差時間に基づいて、前記地絡保護継電器および前記遮断器の良否を判定してもよい。
【発明の効果】
【０００９】
本発明の機器管理システムおよび機器管理方法は、電線路の現状の設備を用いて事故継続時間、遮断器の遮断時間および保護継電器の動作時間を常時測定することができるので、電線路に設置された機器の管理をリアルタイムで行うことができる。
【発明を実施するための最良の形態】
【００１０】
上記の目的を、機器管理手段が、母線の零相電圧値が所定の値以上になったことを地絡過電圧検出器が示す地絡過電圧検出器出力信号によって表わされるＶ0発生時刻、地絡過電圧継電器の動作時間を表わすＯＶＧ動作信号によって表わされるＯＶＧ表示時刻、地絡保護継電器のトリップ信号によって表わされる地絡表示時刻、遮断器のパレット接点の状態を表わすパレット接点信号によって表わされるパレット切時刻およびＯＶＧ動作信号によって表わされるＯＶＧ復帰時刻に基づいて、パレット事故継続時間、パレット遮断時間、事故継続時間、継電器指令時間、ＯＶＧ動作時間およびＶ0−ＯＶＧ差時間を算出し、算出したパレット事故継続時間、パレット遮断時間、事故継続時間、継電器指令時間、ＯＶＧ動作時間およびＶ0−ＯＶＧ差時間に基づいて地絡保護継電器および遮断器の良否を判定することにより実現した。
【実施例１】
【００１１】
以下、本発明の機器管理システムおよび機器管理方法の実施例について図面を参照して説明する。
本発明の第１の実施例による機器管理システム１は、遠制情報を用いた機器管理システムであり、図１に示すように、母線２から分岐された配電線（電線路）３に設けられたかつ地絡方向継電器（ＤＧ）４ａおよび地絡過電圧継電器（ＯＶＧ）４ｂを備える地絡保護継電器４と、配電線３に設けられたかつ地絡保護継電器４のトリップ信号ＳDG（地絡表示）に基づいて配電線３を遮断する遮断器（パレット遮断器）５と、母線２に設けられた段階式地絡過電圧検出器６（段階式地絡過電圧継電器）と、子局側遠方監視制御装置（以下、「子局側テレコン」と称する。）２１と、子局側テレコン２１と通信回線２２を介して接続された親局側遠方監視制御装置（以下、「親局側テレコン」と称する。）２３と、親局側テレコン２３に接続された機器管理装置２４とを具備する。
【００１２】
ここで、配電線３には零相変流器（ＺＣＴ）８が設けられており、当該配電線３（１次側）において地絡事故が生じると零相変流器８により地絡保護継電器４の地絡方向継電器４ａに零相電流（以下、「Ｉ0電流」と称する。）を供給するようにしている。また、母線２には零相変成器（ＧＰＴ）９が設けられており、母線２の零相電圧（以下、「Ｖ0電圧」と称する。）を零相変成器（ＧＰＴ）９により低電圧に変換して地絡保護継電器４の地絡方向継電器４ａおよび地絡過電圧継電器４ｂと段階式地絡過電圧検出器６とに（２次側に）出力するようにしている。
【００１３】
地絡保護継電器４は、２つの要素のＶ0電圧およびＩ0電流の大きさおよび位相により動作し、Ｖ0電圧が約８ＶかつＩ0電流が約３ｍＡで位相が９０度といったような整定は、実際に６，０００Ωの地絡を基準に地絡させてそれぞれの特性により整定が行われている。
【００１４】
地絡保護継電器４の地絡過電圧継電器４ｂは、地絡事故が発生すると動作を開始するが、５００ｍｓ以上の地絡事故に対応するために動作時限Ｄ４が５００ｍｓに固定されている（図３参照）。
また、地絡過電圧継電器４ｂの復帰遅延時間Ｄ２（復帰時限）は、Ｖ0電圧の値および動作時間に関係なく常に一定（たとえば、６０ｍｓ）となるようにされている。
さらに、地絡過電圧継電器４ｂは、地絡過電圧継電器４ｂが動作している時間（動作時間）を表わすＯＶＧ動作信号ＳOVGを子局側テレコン２１に出力する。
【００１５】
段階式地絡過電圧検出器６は、Ｖ0電圧（オープンデルタ）で動作し、たとえば、Ｖ0電圧が８Ｖ以上であることを示すＶ１出力信号ＳV1と、Ｖ0電圧が５０Ｖ以上であることを示すＶ２出力信号ＳV2と、Ｖ0電圧が１５０Ｖ以上であることを示すＶ３出力信号ＳV3とを出力する。
なお、機器管理システム１では、Ｖ１出力信号ＳV1（地絡過電圧検出器出力信号）を用いて地絡方向継電器４および遮断器５の動作管理を行うため、段階式地絡過電圧検出器６はＶ１出力信号ＳV1のみを子局側テレコン２１に出力する。
【００１６】
子局側テレコン２１は、ＳＯＥ（Sequence of Events）機能を備えており、所定の時間間隔（たとえば、１０ｍｓ）で、遮断器５からのパレット接点信号ＳPと、地絡保護継電器４の地絡過電圧継電器４ｂからのＯＶＧ動作信号ＳOVGと、地絡保護継電器４からのトリップ信号ＳDGと、段階式地絡過電圧検出器６からのＶ１出力信号ＳV1とを取り込んで、取り込んだパレット接点信号ＳP、ＯＶＧ動作信号ＳOVG、トリップ信号ＳDGおよびＶ１出力信号ＳV1の状変情報を作成して保管し、親局側テレコン２３のＳＯＥ要求に応じて、パレット接点信号ＳP、ＯＶＧ動作信号ＳOVG、トリップ信号ＳDGおよびＶ１出力信号ＳV1の状変情報のうちの要求された時間範囲のものを表わすＳＯＥ状変記録信号ＳSOEを親局側テレコン２３に通信回線２２を介して伝送（たとえば、パケット伝送）する。
【００１７】
親局側テレコン２３は、監視制御所に設置されており、指定する時間範囲のパレット接点信号ＳP、ＯＶＧ動作信号ＳOVG、トリップ信号ＳDGおよびＶ１出力信号ＳV1の状変情報の送信を子局側テレコン２１に要求するＳＯＥ要求信号を子局側テレコン２１に送信することによって、子局側テレコン２１からＳＯＥ状変記録信号ＳSOEを取得する。
機器管理装置２４は、監視制御所に設置されており、親局側テレコン２３から入力されるＳＯＥ状変記録信号ＳSOEに基づいて地絡保護継電器４および遮断器５に異常がないか否かを判定する。
【００１８】
次に、本実施例による機器管理システム１の動作（本発明の第１の実施例による機器管理方法）について、図２に示すフローチャートおよび図３に示すタイミングチャートを参照して説明する。
【００１９】
図３に示すＶ0発生時刻ｔ１に配電線３において地絡事故が発生すると、地絡事故が発生した配電線３においては他の回線からのＩ0電流が流れ込むとともに、母線２にはＶ0電圧が発生する。その結果、地絡事故の発生とほぼ同時に、地絡保護継電器４の地絡方向継電器４ａが零相変流器８からのＩ0電流と零相変成器９からのＶ0電圧とにより動作を開始し、地絡保護継電器４の地絡過電圧継電器４ｂが零相変成器９からのＶ0電圧により動作を開始する。また、Ｖ１出力信号ＳV1が段階式地絡過電圧検出器６から子局側テレコン２１に出力されるとともに、ＯＶＧ動作信号ＳOVGが地絡過電圧継電器４ｂから子局側テレコン２１に出力される（ステップＳ１１）。
【００２０】
このとき、ＯＶＧ動作信号ＳOVGは、図３に示すように、後述するトリップ指令時刻ｔ２には立ち上らずに、地絡過電圧継電器４ｂの表示動作遅延時間Ｄ１後に立ち上る。また、ＯＶＧ動作信号ＳOVGは、後述するパレット切時刻ｔ５には立ち下らずに、地絡過電圧継電器４ｂの復帰遅延時間Ｄ２後に立ち下る。
【００２１】
地絡保護継電器４は、地絡事故が発生したＶ0発生時刻ｔ１から地絡保護継電器４の動作時間（地絡保護継電器４が正常動作している場合には、地絡過電圧継電器４ｂの動作時限Ｄ４）経過後のトリップ指令時刻ｔ２に、動作を開始する（すなわち、トリップ指令を発生する）。これにより、遮断器５に配電線３を遮断させるトリップ信号ＳDGが地絡保護継電器４から遮断器５および子局側テレコン２１に出力される。このとき、トリップ信号ＳDGは、図３に示すように、トリップ指令時刻ｔ２から地絡保護継電器４の表示動作遅延時間Ｄ３経過後の地絡表示時刻ｔ４に、遮断器５および子局側テレコン２１に出力される（ステップＳ１２）。
【００２２】
遮断器５は、地絡保護継電器４からトリップ信号ＳDGが入力されると、配電線３を遮断する動作を開始するが、遮断器５に固有の一定の動作時間（たとえば、５０ｍｓ）が経過したパレット切時刻ｔ５に、パレット接点が開いて配電線３の遮断を完了する（ステップＳ１３）。
なお、パレット切時刻ｔ５に配電線３の遮断が完了すると、遮断器５から子局側テレコン２１に常時出力されているかつパレット接点の状態を表わすパレット接点信号ＳPは、図３に示すように、立ち下がる。
【００２３】
遮断器５により配電線３が遮断されると、配電線３を流れる電流が遮断されると同時に母線２のＶ0電圧が、残留電圧がないとすると０ボルト（以下、説明の簡単のため、残留電圧はないものとする。）に回復する。その結果、段階式地絡過電圧検出器６のＶ0電圧表示の復帰遅延時間（たとえば、１０ｓ）後に、段階式地絡過電圧検出器６から子局側テレコン２１にＶ１出力信号ＳV1が出力されなくなる。
【００２４】
子局側テレコン２１は、パレット接点信号ＳP、ＯＶＧ動作信号ＳOVG、トリップ信号ＳDGおよびＶ１出力信号ＳV1を所定の時間間隔（たとえば、１０ｍｓ）で常時取り込んで、取り込んだパレット接点信号ＳP、ＯＶＧ動作信号ＳOVG、トリップ信号ＳDGおよびＶ１出力信号ＳV1の状変情報を作成して保管している。
【００２５】
配電線３において地絡事故が発生すると、親局側テレコン２３は、地絡事故の継続時間を含む時間範囲のパレット接点信号ＳP、ＯＶＧ動作信号ＳOVG、トリップ信号ＳDGおよびＶ１出力信号ＳV1の状変情報の送信を子局側テレコン２１に要求するＳＯＥ要求信号を子局側テレコン２１に通信回線２２を介して送信する。
子局側テレコン２１は、このＳＯＥ要求信号を受信すると、保管されている要求された時間範囲のパレット接点信号ＳP、ＯＶＧ動作信号ＳOVG、トリップ信号ＳDGおよびＶ１出力信号ＳV1の状変情報を表わすＳＯＥ状変記録信号ＳSOEを親局側テレコン２３に通信回線２２を介してパケット伝送する。親局側テレコン２３は、ＳＯＥ状変記録信号ＳSOEを受信すると、機器管理装置２４に出力する（以上、ステップＳ１４）。
【００２６】
機器管理装置２４は、親局側テレコン２３から受け取ったＳＯＥ状変記録信号ＳSOEによって表わされるパレット接点信号ＳP、ＯＶＧ動作信号ＳOVG、トリップ信号ＳDGおよびＶ１出力信号ＳV1の状変情報に基づいて、パレット事故継続時間Ｔ1、パレット遮断時間Ｔ2、事故継続時間Ｔ3、継電器指令時間Ｔ4、ＯＶＧ動作時間Ｔ5およびＶ0−ＯＶＧ差時間Ｔ6を以下のようにして算出する（ステップＳ１５）。
【００２７】
（１）パレット事故継続時間Ｔ1の算出
機器管理装置２４は、パレット接点信号ＳPの状変情報によって表わされるパレット切時刻ｔ５からＶ１出力信号ＳV1の状変情報によって表わされるＶ0発生時刻ｔ１を引くことにより、パレット事故継続時間Ｔ1（＝ｔ５−ｔ１）を算出する。
（２）パレット遮断時間Ｔ2の算出
機器管理装置２４は、パレット接点信号ＳPの状変情報によって表わされるパレット切時刻ｔ５からトリップ信号ＳDGの状変情報によって表わされる地絡表示時刻ｔ４を引くとともに地絡保護継電器４の表示動作遅延時間Ｄ３を足すことにより、精度の高いパレット遮断時間Ｔ2（＝ｔ５−ｔ４＋Ｄ３）を算出する。
（３）事故継続時間Ｔ3の算出
機器管理装置２４は、ＯＶＧ動作信号ＳOVGの状変情報によって表わされるＯＶＧ復帰時刻ｔ６からＶ１出力信号ＳV1の状変情報によって表わされるＶ0発生時刻ｔ１および地絡過電圧継電器４ｂの復帰遅延時間Ｄ２を引くことにより、事故継続時間Ｔ3（＝ｔ６−ｔ１−Ｄ２）を算出する。
（４）継電器指令時間Ｔ4の算出
機器管理装置２４は、トリップ信号ＳDGの状変情報によって表わされる地絡表示時刻ｔ４からＶ１出力信号ＳV1の状変情報によって表わされるＶ0発生時刻ｔ１および地絡保護継電器４の表示動作遅延時間Ｄ３を引くことにより、継電器指令時間Ｔ4（＝ｔ４−ｔ１−Ｄ３）を算出する。
（５）ＯＶＧ動作時間Ｔ5の算出
機器管理装置２４は、ＯＶＧ動作信号ＳOVGの状変情報によって表わされるＯＶＧ復帰時刻ｔ６からＯＶＧ動作信号ＳOVGの状変情報によって表わされるＯＶＧ表示時刻ｔ３を引き地絡過電圧継電器４ｂの動作時限Ｄ４および地絡過電圧継電器４ｂの表示動作遅延時間Ｄ１を足すとともに地絡過電圧継電器４ｂの復帰遅延時間Ｄ２を引くことにより、ＯＶＧ動作時間Ｔ5（＝ｔ６−ｔ３＋Ｄ４＋Ｄ１−Ｄ２）を算出する。
（６）Ｖ0−ＯＶＧ差時間Ｔ6の算出
機器管理装置２４は、ＯＶＧ動作信号ＳOVGの状変情報によって表わされるＯＶＧ復帰時刻ｔ６からＶ１出力信号ＳV1の状変情報によって表わされるＶ0発生時刻ｔ１、地絡過電圧継電器４ｂの復帰遅延時間Ｄ２およびＯＶＧ動作時間Ｔ5を引くことにより、Ｖ0−ＯＶＧ差時間Ｔ6（＝ｔ６−ｔ１−Ｄ２−Ｔ5＝ｔ６−ｔ１−Ｄ２−（ｔ６−ｔ３＋Ｄ４＋Ｄ１−Ｄ２）＝ｔ３−（ｔ１＋Ｄ４＋Ｄ１））を算出する。
【００２８】
続いて、機器管理装置２４は、算出したパレット事故継続時間Ｔ1、パレット遮断時間Ｔ2、事故継続時間Ｔ3、継電器指令時間Ｔ4、ＯＶＧ動作時間Ｔ5およびＶ0−ＯＶＧ差時間Ｔ6に基づいて、以下のようにして地絡保護継電器４および遮断器５の良否を判定する（ステップＳ１６）。
（１）パレット事故継続時間Ｔ1に基づく良否判定
機器管理装置２４は、算出したパレット事故継続時間Ｔ1に基づいて全体の地絡事故時間を把握する。ただし、パレット接点信号ＳPの状変情報からパレット事故継続時間Ｔ1を算出しているため、実際に遮断器５が遮断されたかを判断することはできないが、地絡保護継電器４および遮断器５の機構部が正常であるか否かを確認することはできる。
（２）パレット遮断時間Ｔ2に基づく良否判定
機器管理装置２４は、算出したパレット遮断時間Ｔ2に基づいて遮断器５の機構部が正常であるか否かを確認する。
（３）事故継続時間Ｔ3に基づく良否判定
機器管理装置２４は、算出した事故継続時間Ｔ3に基づいて地絡事故継続時間を確認することにより、実系統で事故が正常に遮断されたか否かを確認する（異常時には事故継続時間Ｔ3が長くなる。）。
（４）継電器指令時間Ｔ4に基づく良否判定
機器管理装置２４は、算出した継電器指令時間Ｔ4に基づいて地絡保護継電器４のトリップ指令時間を確認することにより、地絡保護継電器４の指令時間が正常であるか否かを確認する（異常時には継電器指令時間Ｔ4が長くなる。）。
（５）ＯＶＧ動作時間Ｔ5に基づく良否判定
機器管理装置２４は、算出したＯＶＧ動作時間Ｔ5に基づいて地絡過電圧継電器４ｂの継続時間を推定することにより、地絡過電圧継電器４ｂが正常であるか否かを確認する（異常時にはＯＶＧ動作時間Ｔ5が長くなる。）。
（６）Ｖ0−ＯＶＧ差時間Ｔ6に基づく良否判定
機器管理装置２４は、段階式地絡過電圧検出器６をＶ0電圧発生基準として算出したＶ0−ＯＶＧ差時間Ｔ6に基づいてＶ0電圧の発生から段階式地絡過電圧検出器６および地絡過電圧継電器４ｂが動作するまでの差時間を把握することにより、地絡過電圧継電器４ｂの整定および動作が正常であるか否かを確認する。なお、機器管理装置２４は、地絡過電圧継電器４ｂおよび段階式地絡過電圧検出器６の動作整定が同一であるとしているため、Ｖ0−ＯＶＧ差時間Ｔ6が基準値と大幅に異なる場合には、地絡過電圧継電器４ｂの整定値および母線特性が不良であると推定できる。
【００２９】
図４に、地絡過電圧継電器４ｂの表示動作遅延時間Ｄ１を３０ｍｓとし、地絡過電圧継電器４ｂの復帰遅延時間Ｄ２を６０ｍｓとし、地絡保護継電器４の表示動作遅延時間Ｄ３を３０ｍｓとし、地絡過電圧継電器４ｂの動作時限Ｄ４を５００ｍｓとしたときの地絡保護継電器４および遮断器５の良否判定結果の一例を示す。ただし、パレット事故継続時間Ｔ1の基準値を５５０ｍｓとし、パレット遮断時間Ｔ2の基準値を５０ｍｓとし、事故継続時間Ｔ3の基準値を５５０ｍｓとし、継電器指令時間Ｔ4の基準値を５００ｍｓとし、ＯＶＧ動作時間Ｔ5の基準値を５５０ｍｓとし、遮断時間の基準値を５０ｍｓとしている。
【００３０】
以上の説明では、パレット遮断時間Ｔ2をパレット切時刻ｔ５から地絡表示時刻ｔ４を引くとともに表示動作遅延時間Ｄ３を足すことにより算出したが、ＳＯＥ機能の精度がたとえば±３０ｍｓでありパレット遮断時間Ｔ2（たとえば、基準値が５０ｍｓ）を算出するのに十分でない場合には、図５に示すように、トリップ信号ＳDGの立上り時間とパレット接点信号ＳPの立下り時間との時間差を検出する時間差検出回路３１と時間差検出回路３１の出力信号の時間軸を所定の倍数（たとえば、１０倍）に伸張する伸張回路３２とを備える時間軸拡大装置３０を子局側テレコン２１に設けて、時間軸拡大装置出力信号（パレット切時刻ｔ５と地絡表示時刻ｔ４との差時間（＝ｔ５−ｔ４）を所定の倍数だけ倍した時間を表わす。）の状変情報を子局側テレコン２１が作成して保管するようにしてもよい。
この場合には、機器管理装置２４は、親局側テレコン２３から受け取ったＳＯＥ状変記録信号ＳSOEに含まれる時間軸拡大装置出力信号（時間軸拡大装置３０の出力信号）の状変情報に基づいてパレット切時刻ｔ５と地絡表示時刻ｔ４との拡大差時間を求め、求めた拡大差時間を縮小して時間差検出回路３１によって検出された時間差（＝ｔ５−ｔ４）を復元したのち、復元した時間差に表示動作遅延時間Ｄ３を足すことにより、パレット遮断時間Ｔ2を算出する。
【００３１】
次に、本発明の第２の実施例による機器管理システム１’について、図６を参照して説明する。
本実施例による機器管理システム１’は、図６に示すように、子局側テレコン２１、親局側テレコン２３および機器管理装置２４の代わりに、遮断器５から入力されるパレット接点信号ＳP、地絡過電圧継電器４ｂから入力されるＯＶＧ動作信号ＳOVG、地絡保護継電器４から入力されるトリップ信号ＳDGおよび段階式地絡過電圧検出器６から入力されるＶ１出力信号ＳV1に基づいて、パレット事故継続時間Ｔ1、パレット遮断時間Ｔ2、事故継続時間Ｔ3、継電器指令時間Ｔ4、ＯＶＧ動作時間Ｔ5およびＶ0−ＯＶＧ差時間Ｔ6を以下のようにして算出し、算出したパレット事故継続時間Ｔ1、パレット遮断時間Ｔ2、事故継続時間Ｔ3、継電器指令時間Ｔ4、ＯＶＧ動作時間Ｔ5およびＶ0−ＯＶＧ差時間Ｔ6に基づいて地絡保護継電器４および遮断器５の良否を判定する機器管理装置２４’を具備する点で、図１に示した第１の実施例による機器管理システム１と異なる。
【００３２】
（１）パレット事故継続時間Ｔ1の算出
機器管理装置２４は、パレット接点信号ＳPの立下りエッジからパレット切時刻ｔ５を求めるとともに、Ｖ１出力信号ＳV1の立上りエッジからＶ0発生時刻ｔ１を求め、求めたパレット切時刻ｔ５から求めたＶ0発生時刻ｔ１を引くことにより、パレット事故継続時間Ｔ1（＝ｔ５−ｔ１）を算出する。
（２）パレット遮断時間Ｔ2の算出
機器管理装置２４は、パレット接点信号ＳPの立下りエッジからパレット切時刻ｔ５を求めるとともに、トリップ信号ＳDGの立上りエッジから地絡表示時刻ｔ４を求め、求めたパレット切時刻ｔ５から求めた地絡表示時刻ｔ４を引くとともに地絡保護継電器４の表示動作遅延時間Ｄ３を足すことにより、精度の高いパレット遮断時間Ｔ2（＝ｔ５−ｔ４＋Ｄ３）を算出する。
（３）事故継続時間Ｔ3の算出
機器管理装置２４は、ＯＶＧ動作信号ＳOVGの立下りエッジからＯＶＧ復帰時刻ｔ６を求めるとともにＶ１出力信号ＳV1の立上りエッジからＶ0発生時刻ｔ１を求め、求めたＯＶＧ復帰時刻ｔ６から求めたＶ0発生時刻ｔ１および地絡過電圧継電器４ｂの復帰遅延時間Ｄ２を引くことにより、事故継続時間Ｔ3（＝ｔ６−ｔ１−Ｄ２）を算出する。
（４）継電器指令時間Ｔ4の算出
機器管理装置２４は、トリップ信号ＳDGの立上りエッジから地絡表示時刻ｔ４を求めるとともに、Ｖ１出力信号ＳV1の立上りエッジからＶ0発生時刻ｔ１を求め、求めた地絡表示時刻ｔ４から求めたＶ0発生時刻ｔ１および地絡保護継電器４の表示動作遅延時間Ｄ３を引くことにより、継電器指令時間Ｔ4（＝ｔ４−ｔ１−Ｄ３）を算出する。
（５）ＯＶＧ動作時間Ｔ5の算出
機器管理装置２４は、ＯＶＧ動作信号ＳOVGの立下りエッジからＯＶＧ復帰時刻ｔ６を求めるとともに、ＯＶＧ動作信号ＳOVGの立上りエッジからＯＶＧ表示時刻ｔ３を求め、求めたＯＶＧ復帰時刻ｔ６から求めたＯＶＧ表示時刻ｔ３を引き地絡過電圧継電器４ｂの動作時限Ｄ４および地絡過電圧継電器４ｂの表示動作遅延時間Ｄ１を足すとともに地絡過電圧継電器４ｂの復帰時限時間Ｄ２を引くことにより、ＯＶＧ動作時間Ｔ5（＝ｔ６−ｔ３＋Ｄ４＋Ｄ１−Ｄ２）を算出する。
（６）Ｖ0−ＯＶＧ差時間Ｔ6の算出
機器管理装置２４は、ＯＶＧ動作信号ＳOVGの立下りエッジからＯＶＧ復帰時刻ｔ６を求めるとともに、Ｖ１出力信号ＳV1の立上りエッジからＶ0発生時刻ｔ１を求め、求めたＯＶＧ復帰時刻ｔ６から求めたＶ0発生時刻ｔ１、地絡過電圧継電器４ｂの復帰時限時間Ｄ２および上記（５）で算出したＯＶＧ動作時間Ｔ5を引くことにより、Ｖ0−ＯＶＧ差時間Ｔ6（＝ｔ６−ｔ１−Ｄ２−Ｔ5＝ｔ６−ｔ１−Ｄ２−（ｔ６−ｔ３＋Ｄ４＋Ｄ１−Ｄ２）＝ｔ３−（ｔ１＋Ｄ４＋Ｄ１））を算出する。
【００３３】
なお、本実施例による機器管理システム１’の動作（本発明の第２の実施例による機器管理方法）については、上述した機器管理装置２４’におけるパレット事故継続時間Ｔ1、パレット遮断時間Ｔ2、事故継続時間Ｔ3、継電器指令時間Ｔ4、ＯＶＧ動作時間Ｔ5およびＶ0−ＯＶＧ差時間Ｔ6の算出方法を除いては、図１に示した第１の実施例による機器管理システム１の動作と同様であるので、その説明を省略する。
【００３４】
以上説明したように、本発明による機器管理システムおよび機器管理方法では、遠隔地の監視制御所に設けられた親局側テレコン２３および機器管理装置２４において地絡保護継電器４および遮断器５の管理をリアルタイムで行うことができるとともに、地絡保護継電器４および遮断器５に関する情報を一括管理することもできる。
【００３５】
また、本発明の機器管理システムおよび機器管理方法は、６．６ｋＶおよび２２ｋＶなどの配電線に限らず、２２ｋＶ以上の送電線にも適用することができる。
さらに、配電線で現在用いられているＤＭ遠方制御装置（配電自動化装置）を組み合わせることもできる。
【図面の簡単な説明】
【００３６】
【図１】本発明の第１の実施例による機器管理システム１の構成を示す図である。
【図２】図１に示した機器管理システム１の動作を説明するためのフローチャートである。
【図３】図１に示した機器管理システム１の動作を説明するためのタイミングチャートである。
【図４】地絡保護継電器４および遮断器５の良否判定結果の一例を示す図である。
【図５】ＳＯＥ機能の精度がパレット遮断時間Ｔ2を算出するのに十分でない場合に使用する時間軸拡大装置３０の構成を示す図である。
【図６】本発明の第２の実施例による機器管理システム１’の構成を示す図である。
【符号の説明】
【００３７】
１，１’  機器管理システム
２  母線
３  配電線
４  地絡保護継電器
４ａ  地絡方向継電器
４ｂ  地絡過電圧継電器
５  遮断器
６  段階式地絡過電圧検出器
８  零相変流器（ＺＣＴ）
９  零相変成器（ＧＰＴ）
２１  子局側テレコン
２２  通信回線
２３  親局側テレコン
２４，２４’  機器管理装置
３０  時間軸拡大装置
３１  時間差検出回路
３２  伸張回路
Ｄ１，Ｄ３  表示動作遅延時間
Ｄ２  復帰遅延時間
Ｄ４  動作時限
ＳP  パレット接点信号
ＳOVG  ＯＶＧ動作信号
ＳDG  トリップ信号
ＳV1  Ｖ１出力信号
ＳSOE  ＳＯＥ状変記録信号
Ｓ１１〜Ｓ１６  ステップ
ｔ１  Ｖ0発生時刻
ｔ２  トリップ指令時刻
ｔ３  ＯＶＧ表示時刻
ｔ４  地絡表示時刻
ｔ５  パレット切時刻
ｔ６  ＯＶＧ復帰時刻
Ｔ1  パレット事故継続時間
Ｔ2  パレット遮断時間
Ｔ3  事故継続時間
Ｔ4  継電器指令時間
Ｔ5  ＯＶＧ動作時間
Ｔ6  Ｖ0−ＯＶＧ差時間
【図１】
2008263744.tif 000003
【図２】
2008263744.tif 000004
【図３】
2008263744.tif 000005
【図４】
2008263744.tif 000006
【図５】
2008263744.tif 000007
【図６】
2008263744.tif 000008